(57)【特許請求の範囲】
【請求項１】
光源から射出された光束を変調し、画像情報に応じて光学像を形成する電気光学装置、および該光学像を拡大投写する投写光学系を含む画像形成部と、この画像形成部を収納する箱状の筐体と、この箱状の筐体のいずれかの側面に露出して設けられ、前記画像形成部で形成された光学像を投影するスクリーンとを備えたリアプロジェクタであって、
前記画像形成部は、前記光源を駆動する駆動回路と、前記電気光学装置を制御する制御基板と、これら駆動回路および制御基板に電力を供給する電源とを備え、
前記画像形成部を支持する電気伝導性材料からなる基台と、
前記駆動回路、前記制御基板、および前記電源の外周を覆う金属製のシールド部材とを有し、
前記基台は接地電位に設定され、前記シールド部材がこの基台に接続されていることを特徴とするリアプロジェクタ。
【請求項２】
請求項１に記載のリアプロジェクタにおいて、
前記筐体は、該筐体内部に設けられ、支持荷重の一部を負担する支柱部材を備え、
この支柱部材は、前記基台と当接して電気的に接続されていることを特徴とするリアプロジェクタ。
【請求項３】
請求項１または請求項２に記載のリアプロジェクタにおいて、
前記基台の前記画像形成部の支持面の反対側には、前記基台を筐体からスライド移動させて前記画像形成部を筐体外部に露出させるスライド機構が設けられていることを特徴とするリアプロジェクタ。
【請求項４】
請求項１から請求項３のいずれかに記載のリアプロジェクタにおいて、
前記画像形成部は、前記光源および前記電気光学装置を含む光学系を有し、
前記制御基板と、前記駆動回路および前記電源とは、この光学系を挟んで対向配置されていることを特徴とするリアプロジェクタ。
【請求項５】
請求項１から請求項４のいずれかに記載のリアプロジェクタにおいて、
前記電源および前記制御基板は、プリント配線板を介して電気的に接続されていることを特徴とするリアプロジェクタ。
【発明の詳細な説明】
【０００１】
【発明の属する技術分野】
本発明は、光源から射出された光束を変調し、画像情報に応じて光学像を形成する電気光学装置、および該光学像を拡大投写する投写光学系を含む画像形成部と、この画像形成部を収納する箱状の筐体と、この箱状の筐体のいずれかの側面に露出して設けられ、前記画像形成部で形成された光学像を投影するスクリーンとを備えたリアプロジェクタに関する。
【０００２】
【背景技術】
従来より、大型画面を有する表示装置として、スクリーン上に画像を拡大投写して表示するリアプロジェクタが知られている。
このようなリアプロジェクタは、一般に、投写画像を形成する画像形成部と、画像形成部および投写画像を反射する反射ミラー等を収納する箱状の筐体と、筐体の箱状側面に露出して設けられる透過型スクリーンを備えて構成される。
このうち、画像形成部は、光源を駆動する駆動回路、液晶パネルを制御するための制御基板、これら駆動回路および制御基板に電力を供給する電源を備えている。
【０００３】
この制御基板は、制御・演算処理等を行うＣＰＵ等が実装され、外部から入力される画像信号に応じて液晶パネルを制御している。
このようなＣＰＵやメモリ等は、高い周波数で断続的に電流を消費しており、このような高周波数での電流変動は、電磁波の強い輻射が起こる。
また、上記電源・駆動回路は、外部から入力された電力を所定の電力に変圧するトランス等を有し、これら電源・駆動回路等の電子部品からも電磁波の強い輻射が起こる。
この電磁輻射による背面投写表示装置外部の他の電子機器への電磁妨害を回避するため、上記液晶パネルおよび上記投写レンズ等で構成される画像形成部と、反射ミラーと、スクリーン等を収納する樹脂製の筐体内面にＮｉメッキまたは導電塗装を施し、リアプロジェクタから外部への電磁波の遮蔽が行われている。
【０００４】
【発明が解決しようとする課題】
しかしながら、上記のように、樹脂製の筐体内面にＮｉメッキまたは導電塗装を施した場合、リアプロジェクタから外部への電磁波の遮蔽を行うことはできるが、筐体内に収納された制御基板、駆動回路、および電源等における電磁輻射の相互干渉を防止することができない、という問題がある。
また、筐体内面にＮｉメッキまたは導電塗装を施した場合に、該筐体を再度利用することができない、という問題がある。
【０００５】
本発明の目的は、筐体内に収納されたリアプロジェクタを構成する部材間の電磁輻射による相互干渉を回避するとともに、筐体のリサイクル性を改善することができるリアプロジェクタを提供することにある。
【０００６】
【課題を解決するための手段】
本発明のリアプロジェクタは、光源から射出された光束を変調し、画像情報に応じて光学像を形成する電気光学装置、および該光学像を拡大投写する投写光学系を含む画像形成部と、この画像形成部を収納する箱状の筐体と、この箱状の筐体のいずれかの側面に露出して設けられ、前記画像形成部で形成された光学像を投影するスクリーンとを備えたリアプロジェクタであって、前記画像形成部は、前記光源を駆動する駆動回路と、前記電気光学装置を制御する制御基板と、これら駆動回路および制御基板に電力を供給する電源とを備え、前記画像形成部を支持する電気伝導性材料からなる基台と、前記駆動回路、前記制御基板、および前記電源の外周を覆う金属製のシールド部材とを有し、前記基台は接地電位に設定され、前記シールド部材がこの基台に接続されていることを特徴とするものである。
【０００７】
このような本発明によれば、画像形成部は、駆動回路、制御基板、および電源を備え、上記駆動回路、制御基板、電源の外周がシールド部材によって覆われていることにより、筐体にＮｉまたは導電塗装等による電磁輻射による外部機器への妨害対策を施さない状態であっても、駆動回路、制御基板、および電源からの電磁輻射を遮蔽することができる。
また、駆動回路、制御基板、および電源のそれぞれにシールド部材が設置されていることにより、上記部材間における電磁波による相互干渉を防止することができる。
さらに、筐体にＮｉまたは導電塗装等を施す必要はなく、電磁波を透過する樹脂製の筐体を使用することができるので、筐体のリサイクル性を改善することができる。
【０００８】
また、リアプロジェクタは、基台を有し、該基台は接地電位に設定され、シールド部材が該基台に接続されていることにより、各シールド部材を１点アースとして接続することができ、駆動回路、制御基板、電源のそれぞれに設置されるシールド部材の接地電位を基台の接地電位と同一とすることができ、個々の部材における接地電位の変動による各部材間の相互干渉を抑制することができる。
【０００９】
本発明のリアプロジェクタでは、前記筐体は、該筐体内部に設けられ、支持荷重の一部を負担する支柱部材を備え、この支柱部材は、接地電位に設定され、前記基台と当接して電気的に接続されていることが好ましい。
このような構成では、筐体は、支柱部材を備え、該支柱部材は、接地電位に設定され、前記基台と当接して電気的に接続されていることにより、接地電位とされた支柱部材を多点で基台と接続すれば、基台の接地電位の変動、若しくは、基台における電位分布を抑制し、前記シールド部材の接地電位の変動、差異を抑制することができるので、駆動回路、制御基板、および電源からの電磁輻射を効率的に遮蔽することができる。
【００１０】
本発明のリアプロジェクタでは、前記基台の前記画像形成部の支持面の反対側には、前記基台を筐体からスライド移動させて前記画像形成部を筐体外部に露出させるスライド機構が設けられていることが好ましい。
通常、画像形成部に破損または故障によって修理、交換等が必要となった場合には、筐体を解体し、反射ミラーおよびスクリーン等の構成部材を取り外して、画像形成部が筐体から露出した状態で修理、交換等を行っていた。
したがって、修理および交換の際には、非常に煩雑な作業となり、作業効率を悪化させていた。
【００１１】
ここでは、基台には、スライド機構が設けられていることにより、画像形成部に破損または故障によって修理、交換等が必要となった場合には、画像形成部を支持する基台を筐体からスライドして筐体外部に露出した状態にし、画像形成部の修理、交換等を行うことができる。
したがって、修理および交換等の際には、筐体の解体、反射ミラーおよびスクリーン等の取り外し作業を省略し、容易に作業をすることができ、作業効率を向上させることができる。
また、このような構成により、修理および交換の作業だけでなく、背面投写表示装置の組立時の検査や評価等においても、作業効率を向上させることができる。
【００１２】
ここで、上記スライド機構としては、基台の支持面とは反対側の面にキャスタ等の部材を設置し、このキャスタを筐体底面上に当接させて、基台を筐体底面に対してスライド移動させる機構を採用できる。
また、筐体底面に直線状のレール孔を形成し、基台の支持面とは反対側の面に、該面から突設した直線状のレールを設け、該レールとレール孔とを係合させることにより、基台を筐体底面に対してスライド移動させる機構を採用してもよい。
【００１３】
本発明のリアプロジェクタでは、前記画像形成部は、前記光源および前記電気光学装置を含む光学系を有し、前記制御基板と、前記駆動回路および前記電源とは、この光学系を挟んで対向配置されていることが好ましい。
近年、リアプロジェクタの性能向上により、光源の高輝度化が図られ、この高輝度化に伴い、光源に供給する電力は増大し、駆動回路および電源からは電磁障害となる電磁波が放射されやすくなっている。
特に、制御基板には、電気光学装置を制御するために、ＩＣ、ＬＳＩ等の回路素子が高密度に実装されており、上記駆動回路および電源から放射される電磁波により、雑音障害の影響を受けやすい。
【００１４】
ここでは、画像形成部は、光源および電気光学装置を含む光学系を有し、制御基板と、駆動回路および電源とが、この光学系を挟んで対向配置していることにより、制御基板と駆動回路および電源との間に挟まれる光学系が、金属製の筐体に収納された状態であれば、駆動回路および電源から制御基板への電磁波を遮蔽することができ、駆動回路、電源、および制御基板の各部材の外周をそれぞれ覆うようなシールド構造を取る必要がなく、シールド構造をより簡素化することができる。
したがって、シールド構造によるリアプロジェクタの増大化を回避し、リアプロジェクタの小型化を図ることができる。
また、駆動回路および電源から放射される電磁波を光学系により遮蔽することができるので、駆動回路および電源から放射される電磁波は、制御基板に取り込まれることはなく、投写画像の乱れや誤動作を回避することができる。
【００１５】
本発明のリアプロジェクタでは、前記電源および前記制御基板は、プリント配線板を介して電気的に接続されていることが好ましい。
通常、電源および制御基板は、ケーブルにより電気的に接続され、電源から所定の電力が制御基板に供給されている。
このケーブルにおける電力供給においては、ケーブルインピーダンスにより電圧降下が起こり、電源から所定の電力を制御基板に供給することができず、ケーブルインピーダンスを考慮した電力を電源から供給することが必要であった。
【００１６】
このような構成では、電源および制御基板は、プリント配線基板を介して電気的に接続されているので、電源から供給される電力において、伝送中における電力損失を抑制し、電源から所定の電力を供給することで、制御基板における電気光学装置等の制御を安定に行うことができる。
また、プリント配線基板にグラウンドパターンを形成することにより、配線のシールド効果を高め、電源または駆動回路等からの電磁輻射の配線への影響を回避し、制御基板における制御を安定に行うことができる。
【００１７】
【発明の実施の形態】
以下、本発明の一実施の形態を図面に基づいて説明する。
〔１．リアプロジェクタの主な構成〕
図１は、本発明に係るリアプロジェクタ１を前方から見た斜視図である。図２は、このリアプロジェクタ１を後方から見た斜視図である。図３は、リアプロジェクタ１を後方から見た分解斜視図であり、具体的には、図２からバックカバー１４が取り外された図である。図４は、リアプロジェクタ１を下方から見た分解斜視図である。図５は、リアプロジェクタ１を示す縦断面図である。
【００１８】
リアプロジェクタ１の主な構成について、図１〜図５を用いて説明する。
リアプロジェクタ１は、図１〜図５に示すように、光源から射出された光束を画像情報に応じて変調して光学像を形成し、この光学像をスクリーンに拡大投写するものであり、筐体を構成するキャビネット１０と、このキャビネット１０の下面側に設けられる脚部２０と、キャビネット１０内に配置される画像形成部としての内部ユニット４０と、同じくキャビネット１０内に配置される反射ミラー３０と、キャビネット１０の前面に露出して設けられるスクリーン５０とを備えて構成される。これらのキャビネット１０、内部ユニット４０、反射ミラー３０、およびスクリーン５０により装置本体が構成されている。
なお、本実施形態では、便宜上、前方から見て左側を左とし、前方から見て右側を右とする。
【００１９】
キャビネット１０は、内部ユニット４０および反射ミラー３０を収納する合成樹脂製の筐体であり、図３に示すように、内部ユニット４０を収納するとともに、前面側、上下面側および左右側面側のほとんどを覆う縦断面コ字状の下部キャビネット１３と、背面側および左右側面側の一部を覆うバックカバー１４と、この下部キャビネット１３の上側に設置される縦断面三角形状の上部キャビネット１２とを備えて構成される。
下部キャビネット１３におけるスクリーン５０の面に沿った方向としての左右方向の寸法は、上部キャビネット１２におけるスクリーン５０の面に沿った方向としての左右方向の寸法よりも小さく形成されている。
また、バックカバー１４は、下部キャビネット１３に対して着脱自在に構成されている。
【００２０】
下部キャビネット１３は、図４に示すように、前面部１３１と、左右の側面部１３２と、上面部１３３と、下面部１３４とを備える。
図４に示すように、下部キャビネット１３において、前面部１３１の略中央には、内部ユニット４０を構成する投写レンズの突出分に応じて前面側に膨出したセンター部１３１Ａが設けられ、このセンター部１３１Ａの左右側には、略同寸法の矩形状の開口部１３１Ｒ，１３１Ｌが形成されている。これらの開口部１３１Ｒ，１３１Ｌには、低音域を再生するスピーカーとしてのウーハーボックス６０（６０Ｒ，６０Ｌ）がそれぞれ取り付けられている。これらのウーハーボックス６０Ｒ，６０Ｌは、開口部１３１Ｒ，１３１Ｌに対して前面側から着脱可能となっている。
なお、図面では明確にされていないが、左側の開口部１３１Ｌの下側には、コンピュータ接続用の接続部や、ビデオ入力端子、オーディオ機器接続端子等の各種の機器接続用端子が設けられている。
【００２１】
また、下部キャビネット１３において、図３に示すように、左右の側面部１３２には、それぞれスリット状の開口部が形成されている。左側の開口部は、内部に冷却空気を導入する吸気用開口１３２Ｌであり、右側の開口部は、内部に導入され内部を冷却した後の空気を排出する排気用開口１３２Ｒである。
【００２２】
上面部１３３は、上部キャビネット１２における後述する下面部に対向するように構成されている。また、下面部１３４は、脚部２０の後述する受け面に当接するように配置されている。
【００２３】
バックカバー１４は、図３に示すように、背面部１４１と、左右の側面部１４２とを備えて構成される。
バックカバー１４において、背面部１４１の右側（後方から見て左側）には、冷却空気を導入するための第２吸気用開口１４１Ａが形成されている。第２吸気用開口１４１Ａにはエアフィルタ１４３が取り付けられる。このエアフィルタ１４３が設けられた第２吸気用開口１４１Ａには、この開口１４１Ａを塞ぐカバー１４４が着脱自在に取り付けられている。また、背面部１４１における第２吸気用開口１４１Ａの左側（後方から見て右側）にはインレットコネクタ１４５用の開口が設けられている。
さらに、背面部１４１の左側（後方から見て右側）にはコンピュータ接続用の接続部や、ビデオ入力端子、オーディオ機器接続端子等の各種の機器接続用端子が設けられており、この背面部１４１の内側には、インターフェース基板８０が設けられている。
【００２４】
上部キャビネット１２は、図２および図５を参照すれば、反射ミラー３０を収納する縦断面三角形状の筐体であり、略長方形板状の下面部１５と、この下面部１５の両端部から立設された三角形板状の左右の側面部１６と、これらの左右の側面部に跨って形成され、後方の下側に向かって傾斜する背面部１７と、略矩形の平面状に形成された前面部１８とを備える。この平面状の前面部１８には、矩形状の開口部１８Ａが形成されている。前面部１８には、この開口部１８Ａを覆うスクリーン５０が取り付けられている。
【００２５】
図６は、リアプロジェクタ１の下部キャビネット１３側および脚部２０を前方から見た縦断面図である。
脚部２０は、図３，４，６を参照すれば、前記装置本体を支持する合成樹脂製の部材であり、下部キャビネット１３の下面部１３４全体に当接する受け面２１と、この受け面２１の裏側を囲み所定の高さ寸法を有するリブ状の支持部２２とを備える。
受け面２１において、前後方向の中央部分における左側から中央の位置には、支持部２２の高さ寸法に対応する寸法分凹んだ凹状溝が形成されている。
【００２６】
支持部２２は、図４に示すように、リアプロジェクタ１が床や机等の上面に設置された場合に、その裏面が床等の上面に当接されるものである。この支持部２２の内側には、合成樹脂製で所定高さ寸法の格子状の補強リブ２２Ａが形成されている。この補強リブ２２Ａにより、脚部２０の剛性が高められるとともに、床等の上面から位置ずれしないようになっている。
ただし、支持部２２の内側の一部には、補強リブ２２Ａが形成されずに、支持部２２の裏面側に、前後方向の中央部分における左側から中央にかけて延びる平面部２２Ｂが形成されている。この平面部２２Ｂは、受け面２１に形成された前記凹状溝の下面部分となっている。
【００２７】
図６に示すように、前記凹状溝が形成された受け面２１に前記装置本体が設置されると、下部キャビネット１３の左側の側面部１３２から中央部分にかけて左右方向に延びる空間としての第３ダクト９３が構成される。ただし、第３ダクト９３の両端縁には装置本体の下面が当接されず、左側の側面部１３２近傍の端縁部分と略中央部分の端縁部分とが開口される。
この左側の側面部１３２近傍の開口には、第２ダクト９２の一端が接続されている。この第２ダクト９２の他端は、左側の側面部１３２に形成された吸気用開口１３２Ｌに防塵フィルタであるエアフィルタ１３５を介して接続されている。また、この中央部分の端縁部分における開口には、第４ダクト９４の一端が接続されている。この第４ダクト９４の他端は、スポンジ等の弾性部材を介して、前記装置本体を構成する光学装置の下側に配置されている。
【００２８】
図７は、リアプロジェクタ１からスクリーン５０を外した正面図である。
反射ミラー３０は、略台形状に形成された一般的な反射ミラーであり、上部キャビネット１２の背面部１７の内側に、台形の長辺が上側となるように取り付けられている。上部キャビネット１２の背面部１７の内側には、反射ミラー３０を所定位置に保持するミラー保持部３１が形成されている。このミラー保持部３１によって、反射ミラー３０の長辺部分、短辺部分、斜辺部分が支持され、反射ミラ３０ーに歪みが生じないようになっている。
【００２９】
〔２．内部ユニットの構成〕
図８は、内部ユニットを後方から見た斜視図である。
内部ユニット４０は、入力された画像情報に応じて所定の光学像を形成するとともに、この画像情報に付加される音声信号の増幅等も行って、音声および映像を出力する装置である。内部ユニット４０は、内部ユニット本体４００と、この内部ユニット本体４００を所定の姿勢で支持するアルミニウム等の金属製の支持部材２００と、第１電源装置３０１と、第２電源装置３０２とを備えて構成される。
【００３０】
図９は、内部ユニットを構成する支持部材を上方から見た斜視図である。
支持部材２００は、図９に示すように、下部キャビネット１３の下面部１３４（図３）に対向配置される平板状のベース部材２０１と、このベース部材２０１の上面に取り付けられる板状の左右位置調整部材２０２と、この左右位置調整部材２０２の上面に固定され、後方側へと下り勾配に傾斜する傾斜調整部材２０３と、この傾斜調整部材２０３の上面に対向して配置される回転位置調整部材２０４とを備える。
【００３１】
ベース部材２０１は、内部ユニット４０の下面側を構成する板材であり、下部キャビネット１３の下面部１３４に対して前後方向に進退可能に構成されている。このベース部材２０１が進退することにより、下部キャビネット１３から内部ユニット本体４００を後方側へと引き出し様のスライド式に取り出し可能となっている。
ここで，図８に示すように、ベース部材２０１における右側（後方から見て左側）の位置には、上下方向に延びて下部キャビネット１３内を左右の２つの空間に区画する仕切板２０５が形成されている。
【００３２】
図９に戻って、左右位置調整部材２０２は、左右方向に延びるルーズ孔２０２Ａが複数個形成されている。これらのルーズ孔２０２Ａにより、左右位置調整部材２０２は、ベース部材２０１に対する左右方向の位置調整が可能となっている。なお、左右位置調整部材２０２は、左右方向に位置調整された後に、これらのルーズ孔２０２Ａにねじを挿通して、ベース部材２０１にねじ止め固定される。
【００３３】
傾斜調整部材２０３は、板状の傾斜調整部材本体２０６と、この傾斜調整部材本体２０６の四隅にそれぞれ下方へ突出して設けられる脚部２０７とを備える。各脚部２０７は、上下方向に進退自在に構成されている。また、各脚部２０７において、傾斜調整部材本体２０６と反対側の先端部分は、左右位置調整部材２０２に取り付けられている。これらの４つの脚部２０７を上下方向に進退させることにより、左右位置調整部材２０２に対する傾斜調整部材本体２０６の姿勢が調整可能となっている。
【００３４】
回転位置調整部材２０４は、投写レンズ４６の照明光軸の位置Ｘを略回転中心として、この回転中心Ｘから離れた位置を前後方向等に付勢することにより、傾斜調整部材本体２０６の上面に沿って面内方向に回転自在に構成されている。この回転位置調整部材２０４の上面には、内部ユニット本体４００（図８）が取り付けられている。
以上のことから、内部ユニット本体４００は、左右位置調整部材２０２、傾斜調整部材２０３および回転位置調整部材２０４により、ベース部材２０１の上面に対して、左右方向、傾き方向（あおり方向）、および面内回転方向を含む姿勢調整が可能となっている。
【００３５】
図８に示すように、内部ユニット本体４００は、右側（後方から見て左側）部分に配置された図示しない光源装置４１１を含み、この光源装置４１１から左側へ延びてさらに前方側へ延びる平面視略Ｌ字状の光学ユニット４０１と、この光学ユニット４０１の右側部分の一部を覆うように跨って配置され、中央から左側（後方から見て右側）へと延びる制御基板４０２とを備えて構成される。
【００３６】
制御基板４０２は、ＣＰＵ等を含む制御部を備える基板であり、入力された画像情報に応じて、光学ユニット４０１を構成する光学装置の駆動制御を行っている。また、制御基板４０２の周囲は、金属製のシールド部材４０３によって覆われている。この制御基板４０２を覆うシールド部材４０３は、柱状の部材を介して光学ユニット４０１を跨ぐように、回転位置調整部材２０４に取り付けられている。なお、光学ユニット４０１の詳細については後述する。
【００３７】
第１電源装置３０１は、光源装置４１１の前方側で仕切板２０５の左側に設けられており、第１電源ブロック３０３と、この第１電源ブロック３０３に隣接配置されたランプ駆動回路（バラスト）３０４とを備える。
第１電源ブロック３０３は、インレットコネクタ１４５に接続された図示しない電源ケーブルを通して、外部から供給された電力をランプ駆動回路３０４や制御基板４０２等に供給する。
ランプ駆動回路３０４は、光学ユニット４０１を構成する光源ランプに第１電源ブロック３０３から供給された電力を供給するものであり、この光源ランプと電気的に接続されている。このようなランプ駆動回路３０４は、例えば、図示しない基板に配線されている。
【００３８】
また、第１電源装置３０１は、左右側が開口された金属製のシールド部材３０５によって周囲を覆われている。このシールド部材３０５は、電磁ノイズの漏れを防止する機能を有する。さらに、第１電源装置３０１における中央側の開口には、電源用の軸流ファン５２１が取り付けられている。これにより、第１電源装置３０１の延びる方向、すなわち、中央部分から右側方向へ冷却空気を送風している。この場合には、このシールド部材３０５は、冷却空気を誘導するダクトとして機能している。
【００３９】
第２電源装置３０２は、仕切板２０５の右側の空間に設けられており、第２電源ブロック３０６と、入力された音声信号を増幅する音声信号増幅部（アンプ）３０７とを備え、周囲を金属製のシールド部材３０８で覆われている。
第２電源ブロック３０６は、インレットコネクタ１４５に接続された図示しない電源ケーブルを通して、外部から供給された電力を音声信号増幅部３０７に供給する。
音声信号増幅部３０７は、第２電源ブロック３０６から供給された電力によって駆動され、入力された音声信号を増幅するものであり、図８には図示しない後述するスピーカボックスおよび前記ウーハーボックスと電気的に接続されている。このような音声信号増幅部３０７は、例えば、図示しない基板に配線されている。
【００４０】
〔３．光学ユニットの構成〕
図１０は、光学ユニット４０１を示す斜視図である。
図１１は、光学ユニット４０１を模式的に示す平面図である。
光学ユニット４０１は、図１１に示すように、光源装置を構成する光源ランプから射出された光束を光学的に処理して画像情報に対応した光学像を形成し、この光学像を拡大して投写するユニットであり、インテグレータ照明光学系４１と、色分離光学系４２と、リレー光学系４３と、光学装置４４と、直角プリズム４８と、投写光学系としての投写レンズ４６とを備える。
【００４１】
インテグレータ照明光学系４１は、光学装置４４を構成する３枚の液晶パネル４４１（赤、緑、青の色光毎にそれぞれ液晶パネル４４１Ｒ，４４１Ｇ，４４１Ｂとする）の画像形成領域をほぼ均一に照明するための光学系であり、光源装置４１１と、第１レンズアレイ４１２と、第２レンズアレイ４１３と、偏光変換素子４１４と、重畳レンズ４１５とを備えている。
【００４２】
光源装置４１１は、放射光源としての光源ランプ４１６と、リフレクタ４１７とを備え、光源ランプ４１６から射出された放射状の光線をリフレクタ４１７で反射して平行光線とし、この平行光線を外部へと射出する。
光源ランプ４１６としては、ハロゲンランプを採用している。なお、ハロゲンランプ以外に、メタルハライドランプや高圧水銀ランプ等も採用できる。
リフレクタ４１７としては、放物面鏡を採用している。なお、放物面鏡の代わりに、平行化凹レンズおよび楕円面鏡を組み合わせたものを採用してもよい。
【００４３】
第１レンズアレイ４１２は、光軸方向から見てほぼ矩形状の輪郭を有する小レンズがマトリクス状に配列された構成を有している。各小レンズは、光源ランプ４１６から射出される光束を、複数の部分光束に分割している。各小レンズの輪郭形状は、液晶パネル４４１の画像形成領域の形状とほぼ相似形をなすように設定されている。たとえば、液晶パネル４４１の画像形成領域のアスペクト比（横と縦の寸法の比率）が４：３であるならば、各小レンズのアスペクト比も４：３に設定する。
【００４４】
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を液晶パネル４４１上に結像させる機能を有する。
【００４５】
偏光変換素子４１４は、第２レンズアレイ４１３と重畳レンズ４１５との間に配置されるとともに、第２レンズアレイ４１３と一体でユニット化されている。このような偏光変換素子４１４は、第２レンズアレイ４１３からの光を１種類の偏光光に変換するものであり、これにより、光学装置４４での光の利用効率が高められている。
【００４６】
具体的に、偏光変換素子４１４によって１種類の偏光光に変換された各部分光は、重畳レンズ４１５によって最終的に光学装置４４の液晶パネル４４１上にほぼ重畳される。偏光光を変調するタイプの液晶パネル４４１を用いたリアプロジェクタ１では、１種類の偏光光しか利用できないため、他種類のランダムな偏光光を発する光源ランプ４１６からの光のほぼ半分が利用されない。このため、偏光変換素子４１４を用いることにより、光源ランプ４１６から射出された光束を全て１種類の偏光光に変換し、光学装置４４での光の利用効率を高めている。
なお、このような偏光変換素子４１４は、たとえば特開平８−３０４７３９号公報に紹介されている。
【００４７】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤（Ｒ）、緑（Ｇ）、青（Ｂ）の３色の色光に分離する機能を有している。
【００４８】
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００４９】
この際、色分離光学系４２のダイクロイックミラー４２１では、インテグレータ照明光学系４１から射出された光束の赤色光成分と緑色光成分とが透過するとともに、青色光成分が反射する。ダイクロイックミラー４２１によって反射した青色光は、反射ミラー４２３で反射し、フィールドレンズ４１８を通って、青色用の液晶パネル４４１Ｂに到達する。このフィールドレンズ４１８は、第２レンズアレイ４１３から射出された各部分光束をその中心軸（主光線）に対して平行な光束に変換する。他の液晶パネル４４１Ｇ、４４１Ｂの光入射側に設けられたフィールドレンズ４１８も同様である。
【００５０】
また、ダイクロイックミラー４２１を透過した赤色光と緑色光のうちで、緑色光は、ダイクロイックミラー４２２によって反射し、フィールドレンズ４１８を通って、緑色用の液晶パネル４４１Ｇに到達する。一方、赤色光は、ダイクロイックミラー４２２を透過してリレー光学系４３を通り、さらにフィールドレンズ４１８を通って、赤色光用の液晶パネル４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。なお、リレー光学系４３には、３つの色光のうちの赤色光を通す構成としたが、これに限らず、例えば、青色光を通す構成としてもよい。
【００５１】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される光変調装置としての液晶パネル４４１Ｒ，４４１Ｇ，４４１Ｂと、各液晶パネル４４１Ｒ，４４１Ｇ，４４１Ｂの後段に配置される射出側偏光板４４３と、色合成光学系としてのクロスダイクロイックプリズム４４４とを備える。
【００５２】
液晶パネル４４１Ｒ，４４１Ｇ，４４１Ｂは、例えば、ポリシリコンＴＦＴをスイッチング素子として用いたものである。
光学装置４４において、色分離光学系４２で分離された各色光は、これら３枚の液晶パネル４４１Ｒ，４４１Ｇ，４４１Ｂ、入射側偏光板４４２、および射出側偏光板４４３によって、画像情報に応じて変調された光学像を形成する。
【００５３】
入射側偏光板４４２は、色分離光学系４２で分離された各色光のうち、一定方向の偏光光のみ透過させ、その他の光束を吸収するものであり、サファイヤガラス等の基板に偏光膜が貼付されたものである。
射出側偏光板４４３も、入射側偏光板４４２と略同様に構成され、液晶パネル４４１（４４１Ｒ，４４１Ｇ，４４１Ｂ）から射出された光束のうち、所定方向の偏光光のみ透過させ、その他の光束を吸収するものである。
これらの入射側偏光板４４２および射出側偏光板４４３は、互いの偏光軸の方向が直交するように設定されている。
【００５４】
クロスダイクロイックプリズム４４４は、射出側偏光板４４３から射出され、各色光毎に変調された光学像を合成してカラー画像を形成するものである。
クロスダイクロイックプリズム４４４には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
【００５５】
以上説明した液晶パネル４４１、射出側偏光板４４３およびクロスダイクロイックプリズム４４４は、一体的にユニット化された光学装置本体４５として構成されている。なお、入射側偏光板４４２は、ライトガイド４７に形成された図示しない溝部にスライド式に嵌め込んで取り付けられる。
【００５６】
光学装置本体４５は、具体的な図示を省略するが、クロスダイクロイックプリズム４４４と、このクロスダイクロイックプリズム４４４を下方から支持する金属製の台座と、クロスダイクロイックプリズム４４４の光束入射端面に取り付けられ、射出側偏光板４４３を保持する金属製の保持板と、この保持板の光束入射側に取り付けられた４つのピン部材によって保持される液晶パネル４４１（４４１Ｒ，４４１Ｇ，４４１Ｂ）とを備える。保持板と液晶パネル４４１との間には所定間隔の空隙が設けられており、この空隙部分を冷却空気が流れるようになっている。
【００５７】
直角プリズム４８は、光学装置４４のクロスダイクロイックプリズム４４４における光束射出側に配置され、このクロスダイクロイックプリズム４４４で合成されたカラー画像を投写レンズ４６の方向、すなわち前方向に射出されたカラー画像を上方向へと折り曲げて反射するものである。
【００５８】
投写レンズ４６は、直角プリズム４８で反射されたカラー画像を拡大して、反射ミラー３０に投写するものである。この投写レンズ４６は、回転位置調整部材２０４にねじ止め固定された支持部材によって支持されている。
また、図８に示すように、投写レンズ４６の投写側の周囲には、上側が開口された箱状のカバー部材４９Ａが設けられている。下部キャビネット１３の上面部１３３には、投写される光学像の光路を確保するために開口部が形成されている。カバー部材４９Ａは、この開口部の周囲に対して弾性部材を介して当接されてこの開口部を塞いでいる。なお、上部キャビネット１２の下面部１５には、下部キャビネット１３の上面部１３３の開口部に対応する開口部が設けられている。
【００５９】
以上説明した各光学系４１〜４４，４８は、図１０に示す光学部品用筐体としての合成樹脂製のライトガイド４７内に収容されている。
このライトガイド４７は、内部側の具体的な図示を省略するが、図１０に示すように、前述した各光学部品４１２〜４１５，４１８，４２１〜４２３，４３１〜４３４，４４２（図１１）を上方からスライド式に嵌め込む溝部が形成された下ライトガイド４７１と、下ライトガイド４７１の上部の開口側を閉塞する蓋状の上ライトガイド４７２とを備えて構成される。
【００６０】
スクリーン５０は、図１に示すように、光学ユニット４０１の投写レンズで拡大され、前記反射ミラーで反射された光学像を裏面から投影する透過型スクリーンである。このスクリーン５０は、スクリーン本体５１と、このスクリーン本体５１の前面側が露出した状態でスクリーン本体５１を収納するスクリーンカバー５２とを備える。
【００６１】
スクリーン本体５１は、入射光に近い位置すなわち裏面側から順に、拡散板、フレネルシート、レンチキュラーシート、保護板の４枚構成となっている。前記投写レンズから射出され前記反射ミラーで反射された光束は、拡散板で拡散された後にフレネルシートで平行化され、レンチキュラーシートを構成する光学ビーズによって拡散され、表示画像が得られる。
【００６２】
ここで、図２に示すように、上部キャビネット１２の左右側の側面部１６には、それぞれスピーカボックス７０が取り付けられており、上部キャビネット１２とは別体として構成されている。このスピーカボックス７０は、所定のスピーカとして機能する箱型のものである。これらのスピーカボックス７０の前面とスクリーン５０の前面とは略面一に形成され、これらの面は鉛直方向に略平行となっている。
以上より、スクリーンカバー５２は、図１に示すように、スクリーン本体５１を収納した状態で、上部キャビネット１２の前面部１８とスピーカボックス７０の前面と覆うように、上部キャビネット１２に固定されている。
【００６３】
〔４．内部冷却部の構成（冷却構造）〕
図１２は、リアプロジェクタ１を示す平面図である。図１３は、図１２におけるＸIII−ＸIIIでの縦断面図である。
ここで、リアプロジェクタ１には、図８，１２，１３に示すように、内部ユニットを４０を構成するこれらの各部品４００，２００，３０１，３０２と、キャビネット１０の内部とを冷却する内部冷却部５００が設けられている。この内部冷却部５００は、内部ユニット４０を含む下部キャビネット１３内全体を冷却している。
【００６４】
内部冷却部５００は、図１２，１３に示すように、吸気用開口１３２Ｌから下部キャビネット１３内に外部の冷却空気を導入して、下部キャビネット１３内の各部品４００，２００，３０１，３０２を冷却し、右側の排気用開口１３２Ｒから冷却後の空気を外部へと排出するものである。つまり、下部キャビネット１３内には、スクリーン５０の前面に沿って左側から右側へと冷却空気を流す冷却流路が形成されている。
内部冷却部５００は、制御基板冷却流路５１１と、光学装置冷却流路５１２と、光源冷却流路５１３と、電源冷却流路５１４とを備えている。
【００６５】
内部冷却部５００において、図１２または図１３に示すように、ファン５２２，５２３によって吸気用開口１３２Ｌから導入された外部の冷却空気は、その一部が、制御基板用の軸流ファン５２２によって吸引されて、制御基板冷却流路５１１を流れて制御基板４０２を冷却する。また、冷却空気の残りの一部は、光学装置用の軸流ファン５２３およびシロッコファン５２４によって吸引されて、第２〜４ダクト９２〜９４を含んで構成される光学装置冷却流路５１２を流れ、光学装置４４を冷却する。これらの冷却空気は、光学装置４４上方の近傍で合流する。
【００６６】
ここで、光源冷却流路５１３では、仕切板２０５の右側の空間に配置され前後方向に延びる第１ダクト９１が用いられている。
前記合流した空気の一部は、図１２に示すように、光学部品冷却用の２つのシロッコファン５２５，５２６によって吸引されて、ライトガイド４７内の光源冷却流路５１３を流れて前記偏光変換素子および光源装置を冷却し、その後、第１ダクト９１を通って、排気用開口１３２Ｒから外部へと排出される。
【００６７】
一方、合流した空気の残りの一部は、電源用の軸流ファン５２１によって吸引されて、電源冷却流路５１４を流れて第１電源装置３０１および第２電源装置３０２を冷却し、排気用開口１３２Ｒから外部へと排出される。
このように冷却後の空気の排出流路として２つの流路が設けられている。そして、光源装置４１１冷却後の空気は、他の部品に接触することなく専用の第１ダクト９１から外部へと直接排出され、第２電源装置３０２には干渉しないようになっている。
【００６８】
〔５．制御基板のシールド構造〕
図１４は、制御基板の保持構造を示す分解斜視図である。
制御基板４０２は、画像情報に応じて画像光を形成するために、画像信号や音声信号を処理して、液晶パネル４４１Ｒ，４４１Ｇ，４４１Ｂを制御するものであり、光学ユニット４０１と平面的に重なるように設置される第１制御基板４０２Ａと、該第１制御基板４０２Ａから光学ユニット４０１から離間する方向に延びるように設置された第２制御基板４０２Ｂとを備えて構成され、これら一体化した制御基板４０２は、平面的に光学ユニット４０１を挟むように第１電源装置３０１または第２電源装置３０２と対向配置している。
ここで、第１制御基板４０２Ａと第２制御基板４０２Ｂとは、電気的に接続された状態である。
【００６９】
第１制御基板４０２Ａは、上記第１電源装置３０１の第１電源ブロック３０３から電力が供給される部分であり、該第１制御基板４０２Ａの上面には、第１電源ブロック３０３と接続されるプリント配線基板４０２Ｃが設置されている。
そのため、この第１制御基板４０２Ａには、具体的な図示は省略するが、第１電源ブロック３０３から供給される電流を整流し平滑にするために平滑回路が形成され、コンデンサやチョークコイル等が実装されている。
プリント配線基板４０２Ｃは、一端側には設置用の孔４０２Ｃ１が形成され、支持部材２００への設置の際は、該孔４０２Ｃ１にねじを挿通し、支持部材２００の回転位置調整部材２０４の上面から突設された支柱部材２０４Ａと固定される。また、この一端側には、図示しないケーブルにより、第１電源ブロック３０３と接続されている。
上記のようなプリント配線基板４０２Ｃの固定により、該プリント配線基板４０２Ｃと支持部材２００とは、電気的に接続された状態となる。すなわち、接地電位とされたベース部材２０１と同電位となり、プリント配線基板４０２Ｃも接地電位となっている。
【００７０】
また、第１制御基板４０２Ａの略中央部分、すなわち、光学装置４４に対応する部分には、上下面に貫通して孔４０２Ａ１が形成されており、該孔４０２Ａ１には、光学装置４４の上方に設置されたシロッコファン５２４が挿通され、シロッコファン５２４と孔４０２Ａ１との隙間から、画像信号を各液晶パネル４４１Ｒ，４４１Ｇ，４４１Ｂに伝送するために、各液晶パネル４４１Ｒ，４４１Ｇ，４４１Ｂの駆動基板のスイッチング素子や画素電極、および対向基板と電気的に接続されたフレキシブルプリント基板（図示省略）が挿通される。そのため、この孔４０２Ａ１の近傍には、フレキシブルプリント基板と制御基板４０２とを接続するためのコネクタが配設されている。
【００７１】
第２制御基板４０２Ｂは、画像信号や音声信号を処理する制御部としての画像信号処理回路が形成され、ＣＰＵやメモリ等の回路素子が実装されたものであり、種々の機器接続用端子が設けられたインターフェース基板８０と隣接して配置され、該インターフェース基板８０とは図示しないケーブル等により電気的に接続されている。
【００７２】
以上説明した制御基板４０２は、該制御基板４０２の外周を覆うように金属製のシールド部材４０３が設置されている。
シールド部材４０３は、制御基板４０２から放射される電磁波を遮蔽するとともに、外部からの電磁波を遮蔽し、雑音障害を回避するものであり、第１制御基板４０２Ａおよび第２制御基板４０２Ｂの下面に配置される下部シールド部材４０３Ａと、第１制御基板４０２Ａおよび第２制御基板４０２Ｂのそれぞれの上面に配置される上部シールド部材４０３Ｂの３体が一体的に構成され、制御基板４０２の外周を覆っている。
【００７３】
下部シールド部材４０３Ａは、第１制御基板４０２Ａおよび第２制御基板４０２Ｂが載置されるものであり、断面略Ｚ字状に段差を持って形成され、それぞれの端面に第１制御基板４０２Ａおよび第２制御基板４０２Ｂが載置されている。
また、下部シールド部材４０３Ａには、上記第１制御基板４０２Ａに形成された孔４０２Ａ１に対応して孔が形成されている。
さらに、下部シールド部材４０３Ａの下面には、図示は省略するが、第１制御基板４０２の角隅位置に対応して、孔が３箇所形成されており、制御基板４０２およびシールド部材４０３の支持部材２００への設置の際には、該孔にねじを挿通し、上記回転位置調整部材２０４の上面から突設された支柱部材２０４Ｂに固定される。
上記のような固定により、支持部材２００とシールド部材４０３とは電気的に接続された状態となる。すなわち、接地電位とされたベース部材２０１と同電位となり、シールド部材４０３も接地電位となっている。
【００７４】
上部シールド部材４０３Ｂは、第１制御基板４０２Ａおよび第２制御基板４０２Ｂの上面をカバーするものであり、略口形形状を有して形成され、下部シールド部材４０３Ａとは、ねじ等により固定されている。
また、この上部シールド部材４０３Ｂには、複数箇所に孔４０３Ｂ１が形成され、該孔４０３Ｂ１により、シールド部材４０３内部に熱が滞留しないような構造となっている。
【００７５】
〔６．電源装置のシールド構造〕
図１５は、第１電源装置３０１および第２電源装置３０２の構造を示す斜視図である。
第１電源装置３０１は、光源装置４１１および制御基板４０２等に電力を供給するものであり、第１電源ブロック３０３およびランプ駆動回路３０４が平面的に積層配置される構成となっている。
第１電源ブロック３０３は、ランプ駆動回路３０４および制御基板４０２等に電力を供給するものであり、制御基板４０２上に実装されるＣＰＵ等に低電圧大電流を供給するために、入力される交流を低電圧の直流に変換する図示しないトランスや該トランスからの出力を所定の電圧に変換する変換回路等が実装された電源基板を備えている。
【００７６】
この第１電源ブロック３０３は、実装された回路部材からの電磁ノイズを外部に漏洩させないよう左右側が開口され表面にめっき処理、または、金属蒸着処理、金属箔の貼り付けなどがなされた筒部材３０３Ａによって周囲を覆われており、この筒部材３０３Ａにより、ランプ駆動回路３０４および制御基板４０２への電磁ノイズが遮蔽されている。
【００７７】
ランプ駆動回路３０４は、基板上に第１電源ブロック３０３からの電力を所定の電力に変圧するトランスや、電力蓄積用のコンデンサ、抵抗等が実装されており、上記第１電源ブロック３０３と同様に、筒部材３０４Ａによって外周を覆われている。この筒部材３０４Ａにより、ランプ駆動回路３０４に実装された回路部材からの電磁ノイズを遮蔽し、第１電源ブロック３０３および制御基板４０２への電磁ノイズの漏れを防止している。
【００７８】
以上説明した第１電源ブロック３０３およびランプ駆動回路３０４は、電気的に接続された状態で、金属製のシールド部材３０５によって周囲を覆われている。
このシールド部材３０５は、左右側が開口された断面略口形状に形成されており、図１５に示すように、ベース部材２０１上に突設された４つの固定部材２０１Ａとねじにより固定されている。
この固定された状態で、シールド部材３０５とベース部材２０１は、電気的に接続された状態となっている。すなわち、接地電位とされたベース部材２０１と同電位となり、シールド部材３０５も接地電位となっている。
【００７９】
第２電源装置３０２は、インターフェース基板８０を介して入力された音声信号を増幅し、画像に応じた音声を出力するスピーカボックスおよびウーハ−ボックスに音声信号を出力する部分であり、第２電源ブロック３０６と音声信号増幅部３０７とが、金属製のシールド部材３０８に周囲を覆われて、ベース部材２０１上に並列して載置固定されている。
ここで、シールド部材３０８は、断面略口形状に形成され、外周面には、複数箇所に形成された孔３０８Ａを有している。
この孔３０８Ａにより、第２電源装置３０２内に熱が滞留しない構造となっている。
そして、このシールド部材３０８は、ベース部材２０１上に突設された４つの固定部材２０１Ｂにねじにより固定されている。
この固定された状態では、シールド部材３０８とベース部材２０１とは電気的に接続された状態となっている。すなわち、接地電位とされたベース部材２０１と同電位となり、シールド部材３０８も接地電位となっている。
【００８０】
〔７．内部ユニットの収納構造〕
図１６は、内部ユニット４０の下部キャビネット１３への収納状態を示す断面図である。
図１６に示すように、内部ユニット４０は、下部キャビネット１３に対してからスクリーン５０に対して離間する方向に取り出し可能な状態で収納されており、内部ユニット４０のベース部材２０１の下面には、四隅部分に回転自在に形成されたキャスタ２０１Ｃが設置されている。
また、具体的な図示は省略するが、下部キャビネット１３の下面には、スクリーン５０に対して離間する方向にレール孔が形成されており、上記キャスタ２０１Ｃが該レール孔上を移動可能になっている。
なお、上記レール孔の厚み寸法は、上記キャスタ２０１Ｃの厚み寸法と略同一か、やや大きく形成されており、内部ユニット４０の引き出しの際には、引き出し方向と直交する方向に移動することはなく、内部ユニット４０の構成部材と下部キャビネット１３の側面とが衝突することを回避している。
【００８１】
内部ユニット４０が下部キャビネット１３内に収納された状態では、図１６（Ａ）に示すように、後方側から見てベース部材２０１の左右角隅部分において、ベース部材２０１と下部キャビネット１３および脚部２０とがねじ２０１Ｄにより固定され、内部ユニット４０が移動不能に確実に固定されている。
ここで、内部ユニット４０を下部キャビネット１３から取り出す際には、作業者は、下部キャビネット１３のバックカバー１４を取り外し、さらに、上部キャビネット１２の底面と下部キャビネット１３の底面とを接続する２つの支柱部材１３Ａを取り外す。
【００８２】
次に、ベース部材２０１と下部キャビネット１３および脚部２０とを固定するねじ２０１Ｄを取り外す。
そして、作業者は、ベース部材２０１の端縁から折曲した起立片２０１Ｅを把持し、スクリーン５０に対して離間する方向に引くことにより、内部ユニット４０が引き出される。
また、内部ユニット４０を下部キャビネット１３に収納する際には、上記内部ユニット４０の取り出し手順を逆に行うことにより、内部ユニット４０は下部キャビネット１３に移動不能な状態で収納される。
【００８３】
〔８．実施形態の効果〕
上述のような本実施形態によれば、次のような効果がある。
（１）第１電源装置３０１、第２電源装置３０２、および制御基板４０２の外周がそれぞれシールド部材３０５，３０８，４０３によって覆われていることにより、キャビネット１０にＮｉまたは導電塗装等による電磁輻射による外部機器への妨害対策を施さない状態であっても、上記第１電源装置３０１、第２電源装置３０２、および制御基板４０２からの電磁輻射を遮蔽することができる。
（２）第１電源装置３０１、第２電源装置３０２、および制御基板４０２のそれぞれにシールド部材３０５，３０８，４０３が設置されていることにより、上記部材間における電磁波による相互干渉を防止することができる。
【００８４】
（３）キャビネット１０にＮｉまたは導電塗装等を施す必要がなく、キャビネット１０を電磁波を透過する合成樹脂で構成することができるので、リアプロジェクタ１の軽量化とともに、キャビネット１０のリサイクル性を改善することができる。
（４）支持部材２００のベース部材２０１がグランドに接続して接地電位とされ、シールド部材３０５，３０８，４０３が該ベース部材に電気的に接続されていることにより、各シールド部材３０５，３０８，４０３を１点アースとして接続することができ、シールド部材３０５，３０８，４０３の電位をベース部材２０１の接地電位と同一とすることができ、個々のシールド部材３０５，３０８，４０３における接地電位の変動による各部材間の相互干渉を抑制することができる。
【００８５】
（５）下部キャビネット１３の背面側には、背面側から見て、略中央部分と右側部分の２箇所に上部キャビネット１２の底面と下部キャビネット１３の底面とを接続する支柱部材１３Ａが設置され、該支柱部材１３Ａは、グランドに接続されるとともに、ベース部材２０１と電気的に接続した状態であることにより、ベース部材２０１の接地電位の変動、若しくは、ベース部材２０１における電位分布を抑制し、該ベース部材２０１と電気的に接続されたシールド部材３０５，３０８，４０３の電位変動、差異を抑制することができるので、第１電源装置３０１、第２電源装置３０２、および制御基板４０２からの電磁輻射を効率的に遮蔽することができる。
【００８６】
（６）内部ユニット４０のベース部材２０１は、下面にキャスタ２０１Ｃを備え、下部キャビネット１３底面からスライドして該下部キャビネット１３外部に取り出し可能であることにより、内部ユニット４０を構成する部材の検査、評価、修理、および交換等が必要となった場合には、ベース部材２０１を下部キャビネット１３からスライドして、下部キャビネット１３外部に露出した状態にし、内部ユニット４０の検査、評価、修理、および交換等を行うことができる。
したがって、内部ユニット４０の検査等を行う際には、キャビネット１０の解体、反射ミラー３０およびスクリーン５０等の取り外し作業を省略し、容易に作業を行うことができ、作業効率を向上させることができる。
（７）第１電源装置３０１および第２電源装置３０２と、ＣＰＵ等が実装された第２制御基板４０２Ｂとが離間し、かつ平面的に光学ユニット４０１を挟んで対向配置していることにより、第１電源装置３０１および第２電源装置３０２から放射される電磁波によって、第２制御基板４０２Ｂに与える影響を抑制することができ、投写画像の乱れや誤動作を回避することができる。
【００８７】
（８）第１電源ブロック３０３および第１制御基板４０２Ａは、プリント配線基板４０２Ｃを介して接続されているので、第１電源ブロック３０３から供給される電力において、伝送中における電力損失を抑制し、ケーブルインピーダンスを考慮せずに、第１電源ブロック３０３から所定の電力を供給することで、制御基板４０２における液晶パネル４４１Ｒ，４４１Ｇ，４４１Ｂの制御を安定に行うことができる。
（９）第１電源ブロック３０３および第１制御基板４０２Ａは、プリント配線基板４０２Ｃを介して接続されているので、配線のシールド効果を高め、第１電源装置３０１または第２電源装置３０２からの電磁輻射の配線への影響を回避し、制御基板４０２における制御を安定に行うことができる。
【００８８】
〔９．実施形態の変形〕
尚、本発明は、前述の実施形態に限定されるものではなく、以下に示すような変形をも含むものである。
例えば、前記実施形態では、光学ユニット４０１のライトガイド４７は合成樹脂で構成されていたが、これに限らず、金属製で構成してもよい。
このような構成にすることにより、第１電源装置３０１および第２電源装置３０２から制御基板４０２への電磁波を遮蔽することができ、第１電源装置３０１、第２電源装置３０２、および制御基板４０２の各部材の外周をそれぞれ覆うようなシールド構造を取る必要がなく、シールド構造をより簡素化することができる。したがって、シールド構造によるリアプロジェクタの増大化を回避し、リアプロジェクタの小型化を図ることができる。
【００８９】
また、前記実施形態では、内部ユニット４０を下部キャビネット１３から取り出す際に、下部キャビネット１３の下面に形成されたレール孔上をベース部材２０１の下面に設置されたキャスタ２０１Ｃが移動する構造を取っていたが、この構造に限らず、上記レール孔およびキャスタ２０１Ｃを設けずに、下部キャビネット１３の下面上を内部ユニット４０のベース部材２０１を滑らせることにより、取り出す構造を採用してもよい。すなわち、下部キャビネット１３の背面側から内部ユニット４０をスライドして取り出せる構造であればよい。
【００９０】
また、前記実施形態では、３つの光変調装置を用いたリアプロジェクタの例のみを挙げたが、本発明は、１つの光変調装置のみを用いたリアプロジェクタ、２つの光変調装置を用いたリアプロジェクタ、あるいは、４つ以上の光変調装置を用いたリアプロジェクタにも適用可能である。
【００９１】
また、前記各実施形態では、光変調装置として液晶パネルを用いていたが、マイクロミラーを用いたデバイスなど、液晶以外の光変調装置を用いてもよい。この場合は、入出射側の偏光板は省略できる。
さらに、前記実施形態では、光入射面と光射出面とが異なる透過型の光変調装置を用いていたが、光入射面と光射出面とが同一となる反射型の光変調装置を用いてもよい。
【００９２】
【発明の効果】
本発明のリアプロジェクタによれば、外部機器への電磁妨害を回避しながら、筐体内に収納されたリアプロジェクタを構成する部材間の電磁輻射による相互干渉も回避し、さらに、筐体のリサイクル性を改善することができる、という効果がある。
【図面の簡単な説明】
【図１】本実施形態に係るリアプロジェクタを前方から見た斜視図である。
【図２】前記実施形態に係るリアプロジェクタを後方から見た斜視図である。
【図３】前記実施形態に係るリアプロジェクタを後方から見た分解斜視図であり、具体的には、図２からバックカバーが取り外された図である。
【図４】前記実施形態に係るリアプロジェクタを下方から見た分解斜視図である。
【図５】前記実施形態に係るリアプロジェクタを示す縦断面図である。
【図６】前記実施形態に係る下部キャビネットおよび脚部を前方から見た縦断面図である。
【図７】前記実施形態に係るリアプロジェクタからスクリーンを外した正面図である。
【図８】前記実施形態に係る内部ユニットを後方から見た斜視図である。
【図９】前記実施形態に係る支持部材を上方から見た斜視図である。
【図１０】前記実施形態に係る光学ユニットを示す斜視図である。
【図１１】前記実施形態に係る光学ユニットを模式的に示した平面図である。
【図１２】前記実施形態に係るリアプロジェクタを示す平面図である。
【図１３】図１２におけるＸIII−ＸIIIでの縦断面図である。
【図１４】前記実施形態に係る制御基板の取付構造を示す分解斜視図である。
【図１５】前記実施形態に係る第１電源装置および第２電源装置の取付構造を示す斜視図である。
【図１６】前記実施形態に係る内部ユニットの収納構造を示す断面図である。
【符号の説明】
１  リアプロジェクタ
１０  キャビネット（筐体）
１３Ａ  支柱部材
４０  内部ユニット（画像形成部）
４６  投写レンズ（投写光学系）
２００  支持部材（基台）
２０１Ｃ  キャスタ（スライド機構）
３０３  第１電源ブロック（電源）
３０４  ランプ駆動回路（駆動回路）
３０６  第２電源ブロック（電源）
３０５，３０８，４０３  シールド部材
４０２  制御基板
４０２Ｃ  プリント配線基板
４１１  光源装置（光源）
４４１，４４１Ｒ，４４１Ｇ，４４１Ｂ  液晶パネル（電気光学装置）
【図１】
0003733919.tif 000002
【図２】
0003733919.tif 000003
【図３】
0003733919.tif 000004
【図４】
0003733919.tif 000005
【図５】
0003733919.tif 000006
【図６】
0003733919.tif 000007
【図７】
0003733919.tif 000008
【図８】
0003733919.tif 000009
【図９】
0003733919.tif 000010
【図１０】
0003733919.tif 000011
【図１１】
0003733919.tif 000012
【図１２】
0003733919.tif 000013
【図１３】
0003733919.tif 000014
【図１４】
0003733919.tif 000015
【図１５】
0003733919.tif 000016
【図１６】
0003733919.tif 000017